(57)【要約】      （修正有）【課題】帯電手段の立ち上げ時、現像手段に画像形成時と逆極性の電圧を印加しない場合に比較して、帯電手段の帯電電圧を立ち上げる以前の像保持手段の未帯電領域が現像手段へ移動することにより、現像手段のトナーが像保持手段の未帯電領域に付着するのを抑制する画像形成装置を提供する。【解決手段】回転する像保持手段と、前記像保持手段の表面を帯電する帯電手段と、前記像保持手段の表面に形成される静電潜像を現像する現像手段と、前記帯電手段の立ち上げ時、前記像保持手段の未帯電領域が前記現像手段に到達する際、前記現像手段に画像形成時と逆極性の現像電圧を印加する印加手段と、を備える。【選択図】図９
2020060656.tif 000002
【特許請求の範囲】
【請求項１】
回転する像保持手段と、
前記像保持手段の表面を帯電する帯電手段と、
前記像保持手段の表面に形成される静電潜像を現像する現像手段と、
前記帯電手段の立ち上げ時、前記像保持手段の未帯電領域が前記現像手段に到達する際、前記現像手段に画像形成時と逆極性の現像電圧を印加する印加手段と、
を備えた画像形成装置。
【請求項２】
前記印加手段は、前回の画像形成動作終了からの経過時間に応じて前記現像手段に印加する画像形成時と逆極性の現像電圧の値を変更する請求項１に記載の画像形成装置。
【請求項３】
前記印加手段は、前回の画像形成動作終了からの経過時間に応じて、前記像保持手段の帯電電位との差が予め定められた範囲内となるよう前記現像手段に印加する現像電圧を変更する請求項２に記載の画像形成装置。
【請求項４】
前記像保持手段の膜厚の変化を検出する膜厚検出手段を備え、
前記印加手段は、前記膜厚検出手段の検出結果に応じて前記現像手段に印加する現像電圧を変更する請求項１に記載の画像形成装置。
【請求項５】
前記印加手段は、前記像保持手段の膜厚が減少するに従って前記像保持手段の帯電電位との差を小さな値に変更する請求項４に記載の画像形成装置。
【請求項６】
前記印加手段は、前記像保持手段が回転を開始する前に、前記現像手段に画像形成時と逆極性の現像電圧を印加する請求項１乃至５のいずれかに記載の画像形成装置。
【発明の詳細な説明】
【技術分野】
【０００１】
この発明は、画像形成装置に関する。
【背景技術】
【０００２】
従来、画像形成装置としては、感光体ドラムの表面を帯電装置によって帯電する際に、感光体ドラム表面の帯電電位と現像装置の現像バイアス電圧との電位差により感光体ドラムの表面にトナーが付着する所謂かぶりを防止するため、帯電装置の帯電電圧と現像装置の現像バイアス電圧とを位相差を付けて段階的に変化させるよう構成したものがある。
【０００３】
かかる画像形成装置に関する技術としては、特許文献１及び２等に開示されたものが既に提案されている。
【０００４】
特許文献１は、画像形成開始時に、現像電圧印加手段による現像電圧の印加を開始して、移動方向上流側の画像形成部から順に現像剤担持体の回転を開始する場合に、移動方向の最上流以外の画像形成部毎に、現像電圧印加手段による現像電圧の印加開始から現像剤担持体の回転開始までの間、像担持体の表面電位と現像電圧との電位差が画像形成時よりも小さくなるように、像担持体の表面電位を調整する制御手段を備えるように構成したものである。
【０００５】
特許文献２は、制御部は、帯電器及び現像装置への電力供給を停止する過程である立下げプロセスにおいて、帯電器により発生させる帯電電圧を、静電潜像を像担持体上に描画する際の帯電電圧である第１の帯電電圧よりも絶対値が小さい第２の帯電電圧とし、現像剤担持体に印加される電圧である現像バイアスを、静電潜像を現像する際の現像バイアスである第１の現像バイアスよりも絶対値が小さい第２の現像バイアスとし、露光装置は、像担持体の表面のうち第２の帯電電圧が印加された部分が露光装置の照射位置に差し掛かったら、像担持体の表面を露光することで表面の電荷を中和し、表面における電荷が中和された部分が現像剤担持体に差し掛かったら、帯電器及び現像装置への電力供給が停止され、露光装置は、像担持体の表面のうち電力供給を停止した際に帯電器を通過した帯電停止部分が、露光装置の照射位置に差し掛かったら露光を停止するように構成したものである。
【先行技術文献】
【特許文献】
【０００６】
【特許文献１】特開２０１７−１０７０７５号公報
【特許文献２】特開２０１７−０２６６７９号公報
【発明の概要】
【発明が解決しようとする課題】
【０００７】
この発明の目的は、帯電手段の立ち上げ時、現像手段に画像形成時と逆極性の電圧を印加しない場合に比較して、帯電手段の帯電電圧を立ち上げる以前の像保持手段の未帯電領域が現像手段へ移動することにより、現像手段のトナーが像保持手段の未帯電領域に付着するのを抑制することにある。
【課題を解決するための手段】
【０００８】
請求項１に記載された発明は、回転する像保持手段と、
前記像保持手段の表面を帯電する帯電手段と、
前記像保持手段の表面に形成される静電潜像を現像する現像手段と、
前記帯電手段の立ち上げ時、前記像保持手段の未帯電領域が前記現像手段に到達する際、前記現像手段に画像形成時と逆極性の現像電圧を印加する印加手段と、
を備えた画像形成装置である。
【０００９】
請求項２に記載された発明は、前記印加手段は、前回の画像形成動作終了からの経過時間に応じて前記現像手段に印加する画像形成時と逆極性の現像電圧の値を変更する請求項１に記載の画像形成装置である。
【００１０】
請求項３に記載された発明は、前記印加手段は、前回の画像形成動作終了からの経過時間に応じて、前記像保持手段の帯電電位との差が予め定められた範囲内となるよう前記現像手段に印加する現像電圧を変更する請求項２に記載の画像形成装置である。
【００１１】
請求項４に記載された発明は、前記像保持手段の膜厚の変化を検出する膜厚検出手段を備え、
前記印加手段は、前記膜厚検出手段の検出結果に応じて前記現像手段に印加する現像電圧を変更する請求項１に記載の画像形成装置である。
【００１２】
請求項５に記載された発明は、前記印加手段は、前記像保持手段の膜厚が減少するに従って前記像保持手段の帯電電位との差を小さな値に変更する請求項４に記載の画像形成装置である。
【００１３】
請求項６に記載された発明は、前記印加手段は、前記像保持手段が回転を開始する前に、前記現像手段に画像形成時と逆極性の現像電圧を印加する請求項１乃至５のいずれかに記載の画像形成装置である。
【発明の効果】
【００１４】
請求項１に記載された発明によれば、帯電手段の立ち上げ時、現像手段に画像形成時と逆極性の電圧を印加しない場合に比較して、帯電手段の帯電電圧を立ち上げる以前の像保持手段の未帯電領域が現像手段へ移動することにより、現像手段のトナーが像保持手段の未帯電領域に付着するのを抑制することができる。
【００１５】
請求項２に記載された発明によれば、前記印加手段は、前回の画像形成動作終了からの経過時間に応じて前記現像手段に印加する画像形成時と逆極性の現像電圧の値を変更しない場合に比較して、前回の画像形成動作終了からの経過時間が短い場合に現像剤のかぶりが発生するのを抑制することができる。
【００１６】
請求項３に記載された発明によれば、印加手段は、前回の画像形成動作終了からの経過時間に応じて、像保持手段の帯電電位との差が予め定められた範囲内となるよう現像手段に印加する現像電圧を変更しない場合に比較して、前回の画像形成動作終了からの経過時間が短い場合に現像剤のかぶりが発生するのを確実に抑制することができる。
【００１７】
請求項４に記載された発明によれば、像保持手段の膜厚の変化を検出する膜厚検出手段を備え、印加手段は、膜厚検出手段の検出結果に応じて現像手段に印加する現像電圧を変更しない場合に比較して、像保持手段の膜厚が変化した場合においても、現像剤のかぶりが発生するのを抑制することができる。
【００１８】
請求項５に記載された発明によれば、印加手段は、像保持手段の膜厚が減少するに従って像保持手段の帯電電位との差を小さな値に変更しない場合に比較して、現像剤のかぶりが発生するのを確実に抑制することができる。
【００１９】
請求項６に記載された発明によれば、印加手段は、像保持手段が回転を開始する前に、現像手段に画像形成時と逆極性の現像電圧を印加しない場合に比較して、像保持手段の回転開始時期と現像手段への現像電圧の印加時期がずれた場合であっても、現像剤のかぶりが発生するのを抑制することができる。
【図面の簡単な説明】
【００２０】
【図１】この発明の実施の形態１に係る画像形成装置を示す概略構成図である。
【図２】この発明の実施の形態１に係る画像形成装置の画像形成部を示す構成図である。
【図３】帯電装置の構成を示す斜視構成図である。
【図４】現像装置を示す断面構成図である。
【図５】この発明の実施の形態１に係る画像形成装置の要部を示す構成図である。
【図６】感光体ドラムの表面電位を示すグラフである。
【図７】従来の帯電装置の帯電バアイス電圧及び現像装置の現像バイアス電圧を示すグラフである。
【図８】この発明の実施の形態１に係る画像形成装置の現像装置の現像バイアス電圧を示すグラフである。
【図９】この発明の実施の形態１に係る画像形成装置の帯電装置の帯電バアイス電圧及び現像装置の現像バイアス電圧を示すグラフである。
【図１０】この発明の実施の形態１に係る画像形成装置の制御装置を示すブロック図である
【図１１】この発明の実施の形態２に係る画像形成装置の帯電バアイス電圧を示すグラフである。
【図１２】この発明の実施の形態２に係る画像形成装置の逆極性の現像バアイス電圧を示すグラフである。
【図１３】この発明の実施の形態３に係る画像形成装置の制御装置を示すブロック図である。
【図１４】この発明の実施の形態３に係る画像形成装置の感光体ドラムの膜厚と逆極性の帯電バイアス電圧との関係を示すグラフである。
【図１５】この発明の実施の形態４に係る画像形成装置の帯電バイアス電圧を示すグラフである。
【発明を実施するための形態】
【００２１】
以下に、この発明の実施の形態について図面を参照して説明する。
【００２２】
[実施の形態１]
図１及び図２はこの発明の実施の形態１に係る画像形成装置を示すものである。図１はその画像形成装置の全体の概要を示し、図２はその画像形成装置における要部（作像装置など）を拡大して示している。
【００２３】
＜画像形成装置の全体の構成＞
実施の形態１に係る画像形成装置１は、例えばカラープリンタとして構成されたものである。この画像形成装置１は、図１に示されるように、装置本体１ａの上端に図示しない原稿を自動的に搬送しつつ原稿の画像を読み取るか又は図示しないプラテンガラス上に載置された原稿の画像を読み取る画像読取装置２が配置されている。画像形成装置１は、画像読取装置２の下部右側に画像が形成された記録媒体の一例としての記録用紙５を排出する空間が形成された所謂胴内排出型の用紙排出部５８を備えている。
【００２４】
この画像形成装置１は、現像剤を構成するトナーで現像されるトナー像を形成する複数の作像装置１０と、各作像装置１０で形成されたトナー像をそれぞれ保持して最終的に記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。なお、装置本体１ａは支持構造部材や外装カバーなどで構成されている。
【００２５】
作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。これらの４つの作像装置１０（Ｙ，Ｍ，Ｃ，Ｋ）は、装置本体１ａの内部空間において傾斜した状態で１列に並べた状態となるよう配置されている。４つの作像装置１０（Ｙ，Ｍ，Ｃ，Ｋ）は、イエロー（Ｙ）の作像装置１０Ｙが相対的に高く、ブラック（Ｋ）の作像装置１０Ｋが相対的に低くなる位置に存在している。
【００２６】
各作像装置１０（Ｙ，Ｍ，Ｃ，Ｋ）は、図２に示されるように、像保持手段の一例としての回転する感光体ドラム１１を備えている。この感光体ドラム１１の周囲には、次のような各装置が主に配置されている。主な装置とは、感光体ドラム１１の像形成が可能な周面（像保持面）を所要の電位に帯電させる帯電手段の一例としての帯電装置１２と、感光体ドラム１１の帯電された周面に画像の情報（信号）に基づく光を照射して電位差のある（各色用の）静電潜像を形成する静電潜像形成手段の一例としての露光装置１３と、その静電潜像を対応する色（Ｙ，Ｍ，Ｃ，Ｋ）の現像剤４のトナーで現像してトナー像にする現像手段の一例としての現像装置１４と、その各トナー像を中間転写装置２０に転写する一次転写手段の一例としての一次転写装置１５と、一次転写後における感光体ドラム１１の像保持面に残留して付着するトナー等の付着物を取り除いて清掃するドラム清掃装置１６等である。尚、図１中、感光体ドラム１１や帯電装置１２等を示す符号は、イエロー（Ｙ）の作像装置１０Ｙにのみ付して他の作像装置１０（Ｍ，Ｃ，Ｋ）においては省略している。
【００２７】
感光体ドラム１１は、接地処理される円筒状又は円柱状の導電性基材の周面に感光材料からなる光導電性層（感光層）を有する像保持面を形成したものである。この感光体ドラム１１は、図示しない駆動装置から動力が伝達されて矢印Ａで示す方向に回転するように支持されている。
【００２８】
帯電装置１２は、感光体ドラム１１に接触した状態で配置される接触型の帯電ロール１２０で構成される。帯電ロール１２０は、その表面を清掃する清掃ロール１２１を有している。帯電ロール１２０は、図３に示されるように、ステンレス等の金属から円柱形状に形成された芯金部材１２０ａと、芯金部材１２０ａの外周に被覆された導電性を有する弾性体層１２０ｂから構成されている。帯電ロール１２０には、後述するように帯電用バイアス電源から帯電用電圧が供給される。帯電用電圧としては、現像装置１４が反転現像を行うものである場合、現像装置１４から供給されるトナーの帯電極性（本実施の形態ではマイナス）と同じ極性の電圧又は電流が供給される。なお、帯電装置１２としては、感光体ドラム１１の表面に非接触状態で配置されるスコロトロン等の非接触型の帯電装置を用いてもよい。
【００２９】
帯電ロール１２０の芯金部材１２０ａには、図５に示されるように、帯電用バイアス電源１２５から帯電バイアス電圧が供給される。帯電バイアス電圧としては、交流バイアス電圧を重畳した直流バイアス電圧からなる。帯電バイアス電源１２５は、交流バイアス電圧を生成する交流バイアス電源１２５ａと、直流バイアス電圧を生成する直流バイアス電源１２５ｂとを備えている。
【００３０】
帯電バイアス電圧のうちの直流バイアス電圧は、図６に示されるように、感光体ドラム１１の表面を予め定められた帯電電位である暗部電位ＶＨに帯電するための電圧である。なお、帯電バイアス電圧としては、交流バイアス電圧を重畳した直流バイアス電圧に限定されるものではなく、直流バイアス電圧のみからなるものであっても良い。
【００３１】
露光装置１３は、感光体ドラム１１の軸方向に沿って配列された複数の発光素子としてのＬＥＤ（Light Emitting Diode）により感光体ドラム１１に画像情報に応じた光を照射して静電潜像を形成するＬＥＤプリントヘッドからなる。なお、露光装置１３としては、画像情報に応じて構成されるレーザー光を感光体ドラム１１の軸方向に沿って偏向走査するものを用いても良い。
【００３２】
現像装置１４はいずれも、図２に示されるように、開口部と現像剤の収容室が形成された装置筐体１４０の内部に、現像剤を保持して感光体ドラム１１と向き合う現像領域まで搬送する現像剤保持手段の一例としての現像ロール１４１と、現像剤４を攪拌しながら現像ロール１４１に供給するスクリューオーガー等の撹拌供給部材１４２と、撹拌供給部材１４２との間で現像剤４を撹拌しながら搬送するスクリューオーガー等の撹拌搬送部材１４３と、現像ロール１４１に保持される現像剤の量（層厚）を規制する層厚規制部材１４４などを配置して構成したものである。上記４色の各現像剤としては、非磁性トナーと磁性キャリアを含む二成分現像剤が使用される。なお、現像装置１４については、後に詳述する。
【００３３】
一次転写装置１５は、感光体ドラム１１の周囲に中間転写ベルト２１を介して接触し回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００３４】
ドラム清掃装置１６は、一部が開口する容器状の本体１６０と、一次転写後の感光体ドラム１１の周面に所要の圧力で接触するように配置されて残留トナー等の付着物を取り除いて清掃する清掃板１６１と、清掃板１６１で取り除いたトナー等の付着物を回収して図示しない回収システムに送り出すよう搬送するスクリューオーガー等の送出部材１６２等で構成されている。
【００３５】
中間転写装置２０は、各作像装置１０（Ｙ，Ｍ，Ｃ，Ｋ）の上方の位置に存在するよう配置される。この中間転写装置２０は、感光体ドラム１１と一次転写装置１５（一次転写ロール）の間となる一次転写位置を通過しながら矢印Ｂで示す方向に回転する中間転写ベルト２１と、中間転写ベルト２１をその内面から所望の状態に保持して回転自在に支持する複数のベルト支持ロール２２〜２５と、ベルト支持ロール２２に支持されている中間転写ベルト２１の外周面（像保持面）側に配置されて中間転写ベルト２１上のトナー像を記録用紙５に二次転写させる二次転写手段の一例としての二次転写装置３０と、二次転写装置３０を通過した後に中間転写ベルト２１の外周面に残留して付着するトナー、紙粉等の付着物を取り除いて清掃するベルト清掃装置２６とで主に構成されている。
【００３６】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は図示しない駆動装置によって回転駆動される駆動ロールとして構成され、ベルト支持ロール２３は中間転写ベルト２１の画像形成面を形成する面出しロールとして構成され、ベルト支持ロール２４は中間転写ベルト２１に張力を付与する張力付与ロールとして構成され、ベルト支持ロール２５は二次転写の背面支持ロールとして構成されている。
【００３７】
二次転写装置３０は、中間転写装置２０におけるベルト支持ロール２５に支持されている中間転写ベルト２１の外周面部分である二次転写位置において、中間転写ベルト２１の周面に接触して回転するとともに二次転写用電圧が供給される二次転写ロール３１を備えた接触型の転写装置である。また、二次転写ロール３１又は中間転写装置２０の支持ロール２５には、トナーの帯電極性と逆極性又は同極性を示す直流の電圧が二次転写用電圧として図示しない電源装置から供給される。
【００３８】
ベルト清掃装置２６は、一部が開口する容器状の本体２６０と、二次転写後の中間転写ベルト２１の周面に所要の圧力で接触するように配置されて残留トナー等の付着物を取り除いて清掃する清掃板２６１と、清掃板２６１で取り除いたトナー等の付着物を回収して図示しない回収システムに送り出すよう搬送するスクリューオーガー等の送出部材２６２等で構成されている。
【００３９】
定着装置４０は、記録用紙５の導入口及び排出口が形成された図示しない筐体の内部に、矢印で示す方向に回転するとともに表面温度が所定の温度に保持されるよう加熱手段によって加熱されるロール形態又はベルト形態の加熱用回転体４１と、この加熱用回転体４１の軸方向にほぼ沿う状態で所定の圧力で接触して従動回転するロール形態又はベルト形態の加圧用回転体４２などを配置して構成されたものである。この定着装置４０では、加熱用回転体４１と加圧用回転体４２が接触する接触部が所要の定着処理（加熱及び加圧）を行う定着処理部となる。
【００４０】
給紙装置５０は、図１に示されるように、作像装置１０（Ｙ，Ｍ，Ｃ，Ｋ）の下方側の位置に存在するように配置される。この給紙装置５０は、所望のサイズ、種類等の記録用紙５を積載した状態で収容する複数（又は単数）の用紙収容体５１と、用紙収容体５１から記録用紙５を１枚ずつ送り出す送出装置５２とで主に構成される。用紙収容体５１は、例えば、装置本体１ａの正面（使用者が操作時に向き合う側面）側に引き出すことができるように取り付けられる。
【００４１】
記録用紙５としては、例えば、電子写真方式の複写機、プリンタ等に使用される普通紙やトレーシングペーパー等の薄紙、あるいはＯＨＰシート等が挙げられる。定着後における画像表面の平滑性をさらに向上させるには、記録媒体５の表面もできるだけ平滑であることが好ましく、例えば、普通紙の表面を樹脂等でコーティングしたコート紙、印刷用のアート紙等の坪量が相対的に大きい所謂厚紙なども好適に使用することができる。
【００４２】
給紙装置５０と二次転写装置３０との間には、給紙装置５０から送り出される記録用紙５を二次転写位置まで搬送する単数又は複数の用紙搬送ロール対５３，５４や図示しない搬送ガイドで構成される給紙搬送路５５が設けられている。給紙搬送路５５において二次転写位置の直前の位置に配置される用紙搬送ロール対５３は、例えば記録用紙５の搬送時期を調整するロール（レジストロール）として構成されている。また、二次転写装置３０と定着装置４０との間には、二次転写装置３０から送り出される二次転写後の記録用紙５を定着装置４０まで搬送するための搬送ガイド等で構成される用紙搬送路５６が設けられている。さらに、装置本体１ａに形成される記録用紙５の排出口に近い部分には、定着装置４０から出口ロール５７により送り出される定着後の記録用紙５を装置本体１ａの胴体内に形成された用紙排出部５８に排出するための用紙排出ロール対５９を備えた排出搬送路６０が設けられている。
【００４３】
定着装置４０と用紙排出ロール対５９との間には、用紙搬送路を切り替える切替ゲート６１を備えている。用紙排出ロール対５９は、その回転方向が正転方向（排出方向）と逆転方向に切り替え可能に構成されている。記録用紙５の両面に画像を形成する場合には、片面に画像が形成された記録用紙５の後端が切替ゲート６１を通過した後、用紙排出ロール対５９の回転方向を正転方向（排出方向）から逆転方向に切り替える。用紙排出ロール対５９によって逆転方向に搬送される記録用紙５は、切替ゲート６１によって搬送経路が切り替えられ、装置本体１ａの側面に沿って略鉛直方向に沿うように形成された両面搬送路６２へと搬送される。両面搬送路６２は、表裏を反転させた状態で記録用紙５を用紙搬送ロール対５３へと搬送する用紙搬送ロール対６３と搬送ガイド等を備えている。
【００４４】
図１中、符号１４５（Ｙ，Ｍ，Ｃ，Ｋ）は、紙面に交差する方向に沿って配列され、対応する作像装置１０（Ｙ，Ｍ，Ｃ，Ｋ）の現像装置１４に供給する少なくともトナーを含む現像剤を収容したトナーカートリッジをそれぞれ示している。
【００４５】
また、図１中符号１００は、画像形成装置１の動作を統括的に制御する制御装置を示している。制御装置１００については、後に詳述する。
【００４６】
＜画像形成装置の動作＞
以下、画像形成装置１による基本的な画像形成動作について説明する。
【００４７】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するフルカラーモードにおける動作を説明する。
【００４８】
画像形成装置１は、図示しないユーザインターフェイスやプリンタドライバ等からフルカラーの画像形成動作（プリント）の要求の指令情報を受けると、４つの作像装置１０（Ｙ，Ｍ，Ｃ，Ｋ）、中間転写装置２０、二次転写装置３０、定着装置４０等が始動する。
【００４９】
そして、各作像装置１０（Ｙ，Ｍ，Ｃ，Ｋ）においては、図２に示されるように、まず各感光体ドラム１１が矢印Ａで示す方向に回転し、各帯電装置１２が各感光体ドラム１１の表面を所要の極性（実施の形態１ではマイナス極性）及び電位にそれぞれ帯電させる。続いて、露光装置１３が、帯電後の感光体ドラム１１の表面に対し、画像形成装置１に入力される画像の情報を各色成分（Ｙ，Ｍ，Ｃ，Ｋ）に変換して得られる画像の信号に基づいて発光される光を照射し、その表面に所要の電位差で構成される各色成分の静電潜像をそれぞれ形成する。
【００５０】
続いて、各作像装置１０（Ｙ，Ｍ，Ｃ，Ｋ）が、感光体ドラム１１に形成された各色成分の静電潜像に対し、所要の極性（マイナス極性）に帯電された対応する色（Ｙ，Ｍ，Ｃ，Ｋ）のトナーを現像ロール１４１からそれぞれ供給して静電的に付着させて現像を行う。この現像により、各感光体ドラム１１に形成された各色成分の静電潜像は、その対応する色のトナーでそれぞれ現像された４色（Ｙ，Ｍ，Ｃ，Ｋ）のトナー像として顕像化される。
【００５１】
続いて、各作像装置１０（Ｙ，Ｍ，Ｃ，Ｋ）の感光体ドラム１１上に形成された各色のトナー像が一次転写位置まで搬送されると、一次転写装置１５が、その各色のトナー像を中間転写装置２０の矢印Ｂで示す方向に回転する中間転写ベルト２１に対して順番に重ね合わされるような状態で一次転写させる。
【００５２】
また、一次転写が終了した各作像装置１０（Ｙ，Ｍ，Ｃ，Ｋ）では、ドラム清掃装置１６が付着物を掻き取るように除去して感光体ドラム１１の表面を清掃する。これにより、各作像装置１０（Ｙ，Ｍ，Ｃ，Ｋ）は、次の作像動作が可能な状態にされる。
【００５３】
続いて、中間転写装置２０では、中間転写ベルト２１の回転により一次転写されたトナー像を保持して二次転写位置まで搬送する。一方、給紙装置５０では、作像動作に合わせて所要の記録用紙５を給紙搬送路５５に送り出す。給紙搬送路５５では、レジストロールとしての用紙搬送ロール対５３が記録用紙５を転写時期に合わせて二次転写位置に送り出して供給する。
【００５４】
二次転写位置においては、二次転写装置３０が、中間転写ベルト２１上のトナー像を記録用紙５に一括して二次転写させる。また、二次転写が終了した中間転写装置２０では、ベルト清掃装置２６が、二次転写後の中間転写ベルト２１の表面に残留したトナー等の付着物を取り除いて清掃する。
【００５５】
続いて、トナー像が二次転写された記録用紙５は、中間転写ベルト２１から剥離された後に用紙搬送路５６を介して定着装置４０まで搬送される。定着装置４０では、回転する加熱用回転体４１と加圧用回転体４２との間の接触部に二次転写後の記録用紙５を導入して通過させることにより、必要な定着処理（加熱及び加圧）をして未定着のトナー像を記録用紙５に定着させる。最後に、定着が終了した後の記録用紙５は、その片面への画像の形成を行うだけの画像形成動作のときは、用紙排出ロール対５９により、例えば、装置本体１ａの上部に設置された用紙排出部５８に排出される。
【００５６】
以上の動作により、４色のトナー像を組み合わせて構成されるフルカラー画像が形成された記録用紙５が出力される。
【００５７】
＜現像装置の構成＞
図４はこの実施の形態１に係る画像形成装置の現像装置を示す断面構成図である。
【００５８】
現像装置１４は、図４に示されるように、装置筐体の一例としての装置ハウジング１４０を備えている。装置ハウジング１４０の内部には、現像剤４を収容する２つの現像剤収容室１４６，１４７が形成されている。２つの現像剤収容室１４６，１４７は、仕切り壁１４８によって仕切られている。装置ハウジング１４０の感光体ドラム１１と対向する領域には、開口部１４９が設けられている。また、装置ハウジング１４０の内部には、現像剤保持手段の一例としての現像ロール１４１が開口部１４９に一部が露出するよう矢印方向に沿って回転可能に配置されている。現像ロール１４１は、内部に固定した状態で配置され、所要の位置に所要極性の磁極が配置された磁界発生手段の一例としてのマグネットロール１４１ａと、マグネットロール１４１ａの外周に矢印方向に沿って所要の回転速度で回転可能に配置される現像剤搬送手段の一例としての現像スリーブ１４１ｂとを有している。マグネットロール１４１ａには、感光体ドラム１１と対向する現像領域に現像剤４を磁気的に吸着して現像剤４の穂立ちを形成する現像極が配置されている。マグネットロール１４１ａの磁力によって現像スリーブ１４１ｂの表面に吸着された現像剤４は、現像スリーブ１４１ｂの回転に伴って感光体ドラム１１と対向する現像領域へと移動する。現像領域へと移動した現像剤４は、感光体ドラム１１の表面に形成された静電潜像に応じてトナーが感光体ドラム１１の表面に付着して現像に供される。現像スリーブ１４１ｂは、アルミニウムや非磁性ステンレス等からなる非磁性材料により円筒形状に形成されている。
【００５９】
一方の現像剤収容室１４６には、撹拌供給部材１４２が回転可能に配置されている。また、他方の現像剤収容室１４７には、撹拌搬送部材１４３が回転可能に配置されている。２つの現像剤収容室１４６，１４７を仕切る仕切り壁１４８には、撹拌供給部材１４２及び撹拌搬送部材１４３との間で現像剤４をやり取りする開口部１５１，１５２が長手方向に沿った両端部に開口されている。
【００６０】
現像スリーブ１４１ｂには、図５に示されるように、印加手段の一例としての現像バイアス電源１５５によって現像バイアス電圧が印加される。現像バイアス電圧は、交流バイアス電圧を重畳した直流バイアス電圧からなる。現像バイアス電源１５５は、交流バイアス電圧を生成する交流バイアス電源１５５ａと、直流バイアス電圧を生成する直流バイアス電源１５５ｂとを備えている。
【００６１】
現像バイアス電圧のうちの直流バイアス電圧は、図６に示されるように、感光体ドラム１１の帯電電位である暗部電位ＶＨより予め定められた値だけ低い電圧に設定されている。感光体ドラム１１の露光部電位ＶＬと現像バイアス電圧ＶＤＥＶの差（ＶＬ−ＶＤＥＶ）は、感光体ドラム１１上にトナーを付着させて静電潜像の現像を行うための現像電位Ｖｄｅｂとなる。また、感光体ドラム１１の帯電電位ＶＨと現像バイアス電圧ＶＤＥＶの差（ＶＨ−ＶＤＥＶ）は、感光体ドラム１１の表面にかぶりトナーやキャリアの付着を防止するためのクリーニング電位ＶＣＬＮとなる。
【００６２】
現像スリーブ１４１ｂの回転速度は、感光体ドラム１１の回転速度で決定される画像形成装置１の生産性に応じて決定される。画像形成装置１の生産性としての単位時間あたりにプリントされるＡ４サイズ（ＬＥＦ）の記録用紙５の枚数が４４ｐｐｍ（枚数／ｍｉｎ）、５５ｐｐｍ、７０ｐｐｍと増加するに伴って、現像スリーブ１４１ａの回転速度は高速となる。
【００６３】
現像ロール１４１の表面に保持された現像剤４は、図５に示されるように、感光体ドラム１１の表面と対向する現像領域において、マグネットロール１４１ａの図示しない現像磁極の磁力によって磁気ブラシとして形成される。現像ロール１４１の表面に保持された現像剤４の磁気ブラシ中のトナーは、現像スリーブ１４１ｂに印加される現像バイアス電圧のうち、交流バイアス電圧によって現像スリーブ１４１ｂと感光体ドラム１１の間を往復するように飛翔し、図６に示されるように、現像スリーブ１４１ｂに印加される直流バイアス電圧ＶＤＥＶと感光体ドラム１１の露光部電位ＶＬとの電位差（ＶＬ−ＶＤＥＶ）に応じて感光体ドラム１１の表面に付着して現像される。
【００６４】
したがって、現像ロール１４１の表面に保持された現像剤４は、現像スリーブ１４１ｂが回転を開始した後は勿論のこと、現像スリーブ１４１ｂが停止した状態においても、感光体ドラム１１の表面と常時接触した状態となっている。
【００６５】
＜画像形成装置の特徴部分の構成＞
画像形成装置１では、画像形成動作の開始時、各作像装置１０（Ｙ，Ｍ，Ｃ，Ｋ）において、感光体ドラム１１の回転駆動を開始するとともに、感光体ドラム１１の表面を帯電ロール１２０によって所要の帯電電位となるように帯電する。
【００６６】
このとき、感光体ドラム１１の表面電位を画像形成時の暗部電位ＶＨに直ちに帯電させるとともに、現像ロール１４１に現像バイアス電圧を直ちに印加した場合には、感光体ドラム１１の表面電位と現像ロール１４１に印加される現像バイアス電圧ＶＤＥＶとの電位差によって、感光体ドラム１１の表面にトナーが付着する所謂かぶりが発生したり、現像剤４中のキャリアが現像されて感光体ドラム１１の表面に付着する所謂ＢＣＯ（Beads Carry Over又はBeads Carry out）が発生する場合があることが知られている。
【００６７】
そこで、従来の画像形成装置では、図７（ａ）に示されるように、画像形成動作の開始時、感光体ドラム１１の表面にかぶりトナーやキャリア付着が発生するのを防止するため、感光体ドラム１１の帯電電位と現像バイアス電圧との電位差が予め定められた値以下となるようにステップ状に変化させている。
【００６８】
ところで、従来の画像形成装置では、図７（ｂ）に示されるように、感光体ドラム１１の帯電立ち上げ時に、帯電ロール１２０によって帯電されていない感光体ドラム１１の表面が現像装置１４へ到達するまでの間、即ち、感光体ドラム１１の周方向に沿って帯電ロール１２０から現像装置１４の現像ロール１４１までの距離に応じた位相差分にわたり感光体ドラム１１の表面電位が０Ｖであり、且つ現像ロール１４１に印加される現像バイアス電位が０Ｖである領域が存在する。
【００６９】
すると、この感光体ドラム１１の表面電位が０Ｖである未帯電領域が現像装置１４に到達した場合には、図５に示されるように、感光体ドラム１１の表面に現像ロール１４１の表面に磁気ブラシ状に保持された現像剤４中のトナーがファンデルワールス力によって感光体ドラム１１の表面に付着する所謂かぶりが発生するという技術的課題を有している。
【００７０】
感光体ドラム１１の表面電位が０Ｖである未帯電領域が現像装置１４に到達した際にファンデルワールス力によって感光体ドラム１１の表面に付着するトナーの量は、決して多いものではない。しかし、この感光体ドラム１１表面へのトナー付着は、立ち上げ時に、感光体ドラム１１の軸方向に沿った全長と帯電ロール１２０から現像ロール１４１までの感光体ドラム１１の周方向に沿った長さの積で与えられる面積にわたり必然的に発生する。そして、この感光体ドラム１１の表面に付着するトナーは、現像装置１４内のトナーを累積的に無駄に費消するものである。
【００７１】
そこで、この実施の形態では、前記帯電手段の立ち上げ時、前記像保持手段の未帯電領域が前記現像手段に到達する際、前記現像手段に画像形成時と逆極性の現像電圧を印加する印加手段を備えるように構成されている。
【００７２】
更に説明すると、この実施の形態では、図５に示されるように、画像形成動作の開始に際して、帯電ロール１２０によって感光体ドラム１１の表面を帯電させる立ち上げ時に、帯電ロール１２０と現像装置１４の現像ロール１４１との間に存在する感光体ドラム１１の未帯電領域（０Ｖ）が現像装置１４に到達する際に、現像装置１４の現像ロール１４１に画像形成時と逆極性の現像バイアス電圧を印加する印加手段の一例としての現像バイアス電源１５５を備えている。
【００７３】
現像バイアス電源１５５は、帯電ロール１２０によって感光体ドラム１１の表面を帯電させる立ち上げ時に、現像装置１４の現像ロール１４１に画像形成時と逆極性（プラス極性）の現像バイアス電圧を、直流バイアス電源１５５ｂによって印加する。この直流バイアス電源１５５ｂが現像ロール１４１の現像スリーブ１４１ｂに印加する画像形成時と逆極性（プラス極性）の現像バイアス電圧は、例えば、画像形成時に、感光体ドラム１１の帯電電位ＶＨと現像ロールに印加される現像バイアス電圧ＶＤＥＶとの電位差の絶対値（＝｜ＶＨ−ＶＤＥＶ｜）に相当する所謂クリーニング電位ＶＣＬＮと等しい値に設定される。具体的には、現像ロール１４１に印加される逆極性の現像バイアス電圧は、＋９０〜１５０Ｖ程度に設定される。
【００７４】
この逆極性の現像バイアス電圧は、図８に示されるように、感光体ドラム１１の回転開始と同時に印加が開始され、帯電ロール１２０によって帯電された感光体ドラム１１表面の帯電領域ＶＢ１が現像装置１４の現像ロール１４１の位置へ到達するまでの時間ｔ１（図９参照）にわたり印加される。
【００７５】
感光体ドラム１１の表面は、図９に示されるように、帯電ロール１２０によって帯電される。その際、帯電ロール１２０による感光体ドラム１１表面の帯電電位は、複数（６段階）のステップにわたり所要の帯電電位ＶＨまで上昇するように切り替えられる。感光体ドラム１１の表面電位は、第１段階の電位ＶＢ１に立ち上げられた後、所要の時間Δｔ毎に、第２段階の電位ＶＢ２、第３段階の電位ＶＢ３、第４段階の電位ＶＢ４、第５段階の電位ＶＢ５へと立ち上げられ、最終的に所要の帯電電位ＶＨに設定される。
【００７６】
同様に、現像ロール１４１に印加される現像バイアス電圧は、図８及び図９に示されるように、複数（６段階）のステップにわたり所要の現像バイアス電位ＶＤＥＢまで上昇するように切り替えられる。現像バイアス電圧は、感光体ドラム１１表面の第１段階の電位ＶＢ１に対応して、所要の電位差（ＶＢ１−Ｖｄ１）を維持して第１段階の電位ＶＢ１（＝０Ｖ）に切り替えられる。その後、現像バイアス電圧は、感光体ドラム１１表面の第２段階〜第５段階の電位ＶＢ２〜電位ＶＢ５に対応したＶｄ２〜Ｖｄ５へと立ち上げられ、最終的に所要の現像バイアス電圧ＶＤＥＢに設定される。各段階における現像バイアス電圧ＶＢ２〜ＶＢ５は、感光体ドラム１１の表面電位ＶＢとの電位差（ＶＢ−Ｖｄ）が所要の値であるクリーニング電位ＶＣＬＮ以下となるように設定される。
【００７７】
図１０はこの実施の形態１に係る画像形成装置１の制御装置を示すブロック図である。
【００７８】
制御装置１００は、制御部１０１と、記憶部１０２と、操作部１０３と、通信部１０４とを備えている。
【００７９】
制御部１０１は、ＣＰＵ（Central Processing Unit）１０１ａやＲＡＭ（Random  Access Memory）１０１ｂなどを有している。制御部１０１は、記憶部１０２に記憶されたプログラムを実行することにより画像形成装置１の画像形成動作を制御する。また、制御部１０１は、記憶部１０２や操作部１０３、あるいは通信部１０４を制御するとともに、通信部１０４を介してパーソナルコンピュータ等のクライアント端末と通信を行う。
【００８０】
操作部１０３は、ユーザーが記録用紙５の種類やプリント枚数、片面又は両面プリント、フルカラーモードやモノクロモードなどの画像形成モードなどを入力するとともに、開始ボタンにより画像形成動作の開始を指示する入力部１０３ａと、入力部１０３ａで入力された画像形成条件や画像形成装置１の状態などを表示する表示部１０３ｂを備えている。
【００８１】
制御部１０１は、帯電バイアス電源を介して帯電ロールに印加する帯電バイアス電圧を制御する。
【００８２】
また、制御部１０１は、現像バイアス電源１５５を介して現像装置１４の現像ロール１４１に印加する現像バイアス電圧を制御する。
【００８３】
さらに、制御部１０１は、帯電バイアス電源１２５を介して帯電装置１２の帯電ロール１２０に印加する帯電バイアス電圧を制御する。
【００８４】
＜画像形成装置の特徴部分の動作＞
この実施の形態１に係る画像形成装置１では、画像形成動作の開始時、次のようにして感光体ドラム１１の帯電電位及び現像装置の現像バイアス電圧が切り替えられる。
【００８５】
画像形成装置１では、図５に示されるように、画像形成動作の開始時、感光体ドラム１１の表面が帯電ロール１２０によって帯電されるとともに、現像装置１４の現像ロール１４１に現像バイアス電圧が印加される。このとき、帯電ロール１２０によって帯電される感光体ドラム１１の表面電位は、図９に示されるように、制御装置１００の制御部１０１によって、所要の時間Δｔ毎に第１〜第５段階の電位ＶＢ１〜ＶＢ５へとステップ状に上昇するように切り替えられる。
【００８６】
一方、現像装置１４の現像ロール１４１に印加される現像バイアス電圧は、感光体ドラム１１表面の未帯電領域（＝０Ｖ）が現像装置１４の現像ロールに到達するまでの時間ｔ１にわたり、逆極性の現像バイアス電圧＋ｄ０に設定される。
【００８７】
その後、現像装置１４の現像ロール１４１に印加される現像バイアス電圧は、感光体ドラム１１表面の第１〜第５段階の帯電電位ＶＢ１〜ＶＢ５に対応して、第１〜第５段階の現像バイアス電位Ｖｄ１〜Ｖｄ５に切り替えられる。
【００８８】
そのため、感光体ドラム１１の回転が開始されてから感光体ドラム１１表面の未帯電領域（＝０Ｖ）が現像装置１４の現像ロール１４１に到達するまでの時間ｔ１は、現像装置１４の現像ロール１４１に逆極性の現像バイアス電圧＋ｄ０が印加される。
【００８９】
したがって、現像ロール１４１の表面に保持された現像剤４のマイナス極性に帯電されたトナーは、現像ロール１４１に印加される逆極性の現像バイアス電圧＋ｄ０によって静電的に現像ロール１４１の表面に保持されたままの状態となる。その結果、現像ロール１４１の表面に保持された現像剤４中のトナーは、感光体ドラム１１の表面に接触しても感光体ドラム１１の表面に付着することが防止乃至抑制される。なお、現像ロール１４１の表面に保持された現像剤４中のキャリアは、現像ロール１４１中のマグネットロールの磁極によって磁気的に吸着されて保持されており、感光体ドラム１１の表面に付着することが防止される。
【００９０】
このように、上記実施の形態１に係る画像形成装置１では、帯電装置１２の立ち上げ時、現像装置１４の現像ロール１４１に画像形成時と逆極性の現像バイアス電圧を印加しない場合に比較して、帯電装置１２の帯電電圧を立ち上げる以前の感光体ドラム１１の未帯電領域が現像装置へと移動することにより、現像装置１４のトナーが感光体ドラム１１の未帯電領域に付着するのが抑制される。
【００９１】
[実施の形態２]
図１１はこの発明の実施の形態２に係る画像形成装置を示すものである。この実施の形態２では、印加手段は、前回の画像形成動作終了からの経過時間に応じて現像手段に印加する画像形成時と逆極性の現像電圧の値を変更するように構成されている。また、印加手段は、前回の画像形成動作終了からの経過時間に応じて、像保持手段の帯電電位との差が予め定められた範囲内となるよう現像手段に印加する現像電圧を変更するように構成されている。
【００９２】
すなわち、この実施の形態２では、図１１に示されるように、画像形成動作の終了時、帯電ロール１２０による感光体ドラム１１表面の帯電電位が画像形成動作の開始時と同様にステップ状に０Ｖへと立ち下げられる。
【００９３】
このとき、感光体ドラム１１の表面電位は、図１１に示されるように、回転停止時に完全に０Ｖまで減衰せずに−１００Ｖ程度に帯電されたままの状態を維持する場合がある。この感光体ドラム１１表面の−１００Ｖ程度に帯電された状態は、次第に減衰する。ところが、感光体ドラム１１の感光体層の特性によっては、感光体ドラム１１表面の−１００Ｖ程度に帯電された状態が完全に０Ｖまで減衰するのに数時間を要する場合がある。
【００９４】
すると、前回の画像形成動作の終了時から感光体ドラム１１の表面電位が０Ｖまで減衰するまでの間に次の画像形成動作を開始した場合には、感光体ドラム１１表面の−１００Ｖ程度に帯電された領域が現像装置１４の現像ロール１４１と対向する領域へと移動して、感光体ドラム１１表面との電位差によってトナーが付着する虞れがある。
【００９５】
そこで、この実施の形態２では、図１２に示されるように、制御部１０１によって、前回の画像形成動作の終了時からの経過時間を計測し、前回の画像形成動作の終了時からの経過時間に応じて現像ロール１４１に印加する画像形成時と逆極性の現像バイアス電圧の値を変更するように構成されている。
【００９６】
前回の画像形成動作の終了時からの経過時間が短い場合には、感光体ドラム１１の表面電位が−１００Ｖ程度に帯電されたままの状態となることがある。
【００９７】
そこで、制御部１０１は、前回の画像形成動作の終了時からの経過時間に応じて感光体ドラム１１の表面電位を予測し、前回の画像形成動作の終了時からの経過時間が短い場合には、図１２に示されるように、現像装置１４の現像ロール１４１に逆極性の現像バイアス電圧Ｖｄ０として０Ｖ程度の電圧を印加する。
【００９８】
その後、制御部１０１は、次の画像形成動作の立ち上げ時に、前回の画像形成動作の終了時からの経過時間に応じて、現像装置１４の現像ロール１４１に印加する逆極性の現像バイアス電圧Ｖｄ０を＋１００Ｖ程度の電圧に変更する。
【００９９】
このように、現像装置１４の現像ロール１４１に印加する逆極性の現像バイアス電圧Ｖｄ０を、前回の画像形成動作の終了時からの経過時間に応じて変更することにより、感光体ドラム１１の帯電ロール１２０による未帯電領域が、前回の画像形成動作の終了時からの経過時間が短く、−１００Ｖ程度の残留電位となっている場合であっても、感光体ドラム１１の帯電ロール１２０による未帯電領域にトナーが付着することを確実に防止乃至抑制することができる。
【０１００】
[実施の形態３]
図１３はこの発明の実施の形態３に係る画像形成装置を示すものである。この実施の形態３では、感光体ドラム１１の感光体層の膜厚の変化を検出する膜厚検出手段を備え、印加手段は、膜厚検出手段の検出結果に応じて現像装置の現像ロールに印加する現像バイアス電圧を変更するように構成されている。
【０１０１】
すなわち、この実施の形態３では、図１３に示されるように、感光体ドラム１１の累積的な回転数や画像が形成された記録用紙５の枚数を累積的に計数することにより、感光体ドラム１１の感光体層の膜厚を検出する膜厚検出手段２００を備えている。
【０１０２】
制御部１０１は、図１４に示されるように、膜厚検出手段２００の検出結果に応じて、感光体ドラム１１の感光体層の膜厚の減少に伴って現像装置１４の現像ロール１４１に印加する逆極性の現像バイアス電圧Ｖｄの値を徐々に小さな値となるよう変更する。
【０１０３】
この実施の形態３では、感光体ドラム１１の膜厚が変化した場合であっても、現像装置１４の現像ロール１４１に印加する逆極性の現像バイアス電圧の値を変更することにより、感光体ドラム１１の未帯電領域にトナーが付着することを防止乃至抑制することができる。
【０１０４】
[実施の形態４]
図１５はこの発明の実施の形態４に係る画像形成装置の動作を示すものである。
【０１０５】
この実施の形態４では、図１５に示されるように、画像形成動作の開始時、感光体ドラム１１の回転駆動の開始に先立って、現像装置１４の現像ロール１４１に画像形成時と逆極性の現像バイアス電圧Ｖｄ０を印加するように構成されている。
【０１０６】
このように、感光体ドラム１１の回転駆動の開始に先立って、現像装置１４の現像ロール１４１に画像形成時と逆極性の現像バイアス電圧Ｖｄ０を印加することにより、感光体ドラム１１の回転駆動の開始時と、現像装置１４の現像ロール１４１への逆極性の現像バイアス電圧Ｖｄ０の印加開始時との時間差によって、感光体ドラム１１の未帯電領域が逆極性の現像バイアス電圧Ｖｄ０の印加前の現像ロール１４１へ到達することで、感光体ドラム１１の未帯電領域にトナーが付着するのを確実に防止乃至抑制することが可能となる。
【０１０７】
なお、前記実施の形態では、フルカラーの画像形成装置に適用した場合について説明したが、モノクロの画像形成装置であっても同様に適用することができることは勿論である。
【符号の説明】
【０１０８】
１…画像形成装置
１ａ…画像形成装置本体
１１…感光体ドラム
１２…帯電装置
１２０…帯電ロール
１２５…帯電バイアス電源
１４…現像装置
１４１…現像ロール
１５５…現像バイアス電源
１０１…制御部
【図１】
2020060656.tif 000003
【図２】
2020060656.tif 000004
【図３】
2020060656.tif 000005
【図４】
2020060656.tif 000006
【図５】
2020060656.tif 000007
【図６】
2020060656.tif 000008
【図７】
2020060656.tif 000009
【図８】
2020060656.tif 000010
【図９】
2020060656.tif 000011
【図１０】
2020060656.tif 000012
【図１１】
2020060656.tif 000013
【図１２】
2020060656.tif 000014
【図１３】
2020060656.tif 000015
【図１４】
2020060656.tif 000016
【図１５】
2020060656.tif 000017